(57)【要約】【課題】ＤＶＲなどの監視カメラ映像記憶装置の録画状態を確認することができ、録画漏れや異常録画などを防止することができる監視カメラ映像記録装置の健常性確認装置及び方法を提供する。【解決手段】上記課題を解決するために、本発明は、監視装置から監視カメラ映像記録装置にアクセスし、当該記録装置から取得した情報による録画状態の整合性をもって健常性を確認する監視カメラ映像記録装置の健常性確認装置及び方法に関すものである。【選択図】図１
2014150318.tif 000002
【特許請求の範囲】
【請求項１】
監視カメラの映像を録画する監視カメラ映像記録装置に接続する監視装置を備えた映像監視システムにおいて、
前記監視装置は、
時刻配信装置（タイムサーバ）から基準となる日時情報を取得し、前記監視装置自身の現在日時を補正する手段と、
前記監視カメラ映像記録装置に接続確認コマンドをもって接続し、前記監視カメラの情報及び前記監視カメラごとの録画設定を取得する手段と、
前記監視カメラ映像記録装置の現在時刻を取得する手段と、
前記監視カメラごとに最新録画日時を取得する手段と、
前記監視カメラ映像記録装置の現在時刻と前記最新録画日時差が許容範囲にあるか否かを判定する手段と、
前記日時差が許容範囲にある場合に、前記監視カメラ映像記録装置による録画が正常状態にあると判断し、前記監視カメラごとに最新録画データサイズを取得する手段と、
単位時間の前記録画データサイズが許容範囲にあるか否かを判定する手段、前記録画データサイズが許容範囲にある場合、前記監視カメラによる撮影データが正常にあると判断し、次の確認日時を設定する手段と、
前記日時差が前記許容範囲にない場合、前記監視カメラ映像記録装置による録画が異常状態と判断し、また前記画像データサイズが前記許容範囲内にない場合、前記監視カメラによる撮影データが異常と判断し、前記監視装置の監視者側に通報する手段を有する
ことを特徴とする監視カメラ映像記録装置の健常性確認装置。
【請求項２】
監視カメラの映像を録画する監視カメラ映像記録装置に接続する監視装置を備えた映像監視システムにおける監視装置の制御部をもって監視カメラ映像記録装置の健常性を確認する方法であって、
前記監視装置の制御部は、
時刻配信装置（タイムサーバ）から基準となる日時情報を取得し、前記監視装置自身の現在日時を補正するステップと、
前記監視カメラ映像記録装置に接続確認コマンドをもって接続し、前記監視カメラの情報及び前記監視カメラごとの録画設定を取得するステップと、
前記監視カメラ映像記録装置の現在時刻を取得するステップと、
前記監視カメラごとに最新録画日時を取得するステップと、
前記監視カメラ映像記録装置の現在時刻と前記最新録画日時差が許容範囲にあるか否かを判定するステップと、
前記日時差が許容範囲にある場合に、監視カメラ映像記録装置による録画が正常状態にあると判断し、前記監視カメラごとに最新録画データサイズを取得するステップと、
単位時間の前記録画データサイズが許容範囲にあるか否かを判定するステップと、
前記録画データサイズが許容範囲にある場合、前記監視カメラによる撮影データが正常にあると判断し、次の確認日時を設定するステップ、前記日時差が許容範囲にない場合、前記監視カメラ映像記録装置の録画が異常状態と判断し、また前記画像データサイズが許容範囲内にない場合、前記監視カメラによる撮影データが異常と判断し、監視者側に通報するステップを有することを特徴とする監視カメラ映像記録装置の健常性確認方法。
【発明の詳細な説明】
【技術分野】
【０００１】
本発明は、監視カメラで撮影した映像を、監視カメラ映像記録装置、例えばＤＶＲ（Digital Video Recorder）などに記録する映像監視システムにおけるカメラ映像記録装置の健常性確認装置及び健常性確認方法に関する。
【背景技術】
【０００２】
本技術分野の背景技術として、特開２０１１−２５９０３４号公報（特許文献１）がある。この公報には、静止画や動画をカメラにより撮影し、当該撮影映像をハードディスクドライブＨＤＤに蓄積するネットワークカメラ異常検知システムが開示されている。
【先行技術文献】
【特許文献】
【０００３】
特開２０１１−２５９０３４号公報
【発明の開示】
【発明が解決しようとする課題】
【０００４】
前記特許文献１には、カメラで監視撮影した映像を記録媒体に録画する映像監視システムが記載されている。しかし、特許文献１には、その録画状態や録画データの妥当性まで確認することについては記載がない。
【０００５】
一般的な映像監視システムでは、例えばＤＶＲとの接続確認やＤＶＲ内部の稼動情報の取得による稼動確認のみであり、録画状態や録画データの妥当性まで確認していなかった。
【０００６】
すなわち、従来の映像監視システムにおけるＤＶＲ等の監視カメラ映像記録装置にあっては、図７に示すように、監視装置１５０からのＰｉｎｇ（Ｐａｃｋｅｔ  ＩｎｔｅｒＮｅｔ  Ｇｒｏｐｅｒ）コマンドなどによる接続診断（接続確認）、監視カメラ１１０、１２０に接続のＤＶＲ１３０、１４０内部の稼動情報の取得が大半であり、正しく録画が行われているかの健常性確認までは行われていなかった。このようにＰｉｎｇによるＤＶＲとのネットワーク接続確認が正常で、ＤＶＲ稼動ログなどの稼動情報が取得できれば、健常であるとする方法にあっては、実際はＤＶＲの録画が停止していても、カメラが故障またはカメラからＤＶＲ間の接続不良が発生していても健常であると誤った判断がなされる課題があった。
【０００７】
そこで、本発明は、ＤＶＲなどの監視カメラ映像記憶装置の録画状態（健常性）を確認することができ、録画漏れや異常録画を防止することができる監視カメラ映像記録装置の健常性確認装置及び健常性確認方法を提供する。
【課題を解決するための手段】
【０００８】
上記課題を解決するために、本発明は、監視カメラ映像記録装置にアクセスし、当該記録装置から取得した情報をもって録画状態の整合性により、監視カメラ映像記録装置の健常性を確認する健常性確認手段を有する。
【０００９】
例えば、監視装置は、監視カメラ映像記録装置の（１）現在日付と時刻、（２）カメラチャネルごとの録画設定（録画スケジュールや動き検知などのイベント録画の有無など）、（３）最新録画データの日付と時刻、（４）最新録画データの単位時間当たりのデータサイズに基づき以下のような機能を実行する手段を有する。すなわち、前記（１）と（２）とにより、録画データサイズで録画状態であるかの確認し、前記（１）と（３）とにより、現在日時と最新録画日時の差異が許容範囲であるかの確認し、前記（２）と（４）とにより、録画データサイズが標準値と比べて大きすぎないか、または小さすぎないか（ピントのずれやカメラの故障、妨害行為による異常な録画判定）を判定、分析し、健常性をチェックする各手段を有する。
【００１０】
例えば、本発明の監視カメラ映像記録装置の健常性確認装置は、監視カメラの映像を録画する監視カメラ映像記録装置に接続する監視装置を備えた映像監視システムにおいて、
前記監視装置は、
時刻配信装置（タイムサーバ）から基準となる日時情報を取得し、前記監視装置自身の現在日時を補正する手段と、
前記監視カメラ映像記録装置に接続確認コマンドをもって接続し、前記監視カメラの情報及び前記監視カメラごとの録画設定を取得する手段と、
前記監視カメラ映像記録装置の現在時刻を取得する手段と、
前記監視カメラごとに最新録画日時を取得する手段と、
前記監視カメラ映像記録装置の現在時刻と前記最新録画日時差が許容範囲にあるか否かを判定する手段と、
前記日時差が許容範囲にある場合に、前記監視カメラ映像記録装置による録画が正常状態にあると判断し、前記監視カメラごとに最新録画データサイズを取得する手段と、
単位時間の前記録画データサイズが許容範囲にあるか否かを判定する手段、前記録画データサイズが許容範囲にある場合、前記監視カメラによる撮影データが正常にあると判断し、次の確認日時を設定する手段と、
前記日時差が前記許容範囲にない場合、前記監視カメラ映像記録装置による録画が異常状態と判断し、また前記画像データサイズが前記許容範囲内にない場合、前記監視カメラによる撮影データが異常と判断し、前記監視装置の監視者側に通報する手段を有する
健常性確認手段を備えたことを特徴とする。
【００１１】
また、本発明の監視カメラ映像記録装置の健常性確認方法は、監視カメラの映像を録画する監視カメラ映像記録装置に接続する監視装置を備えた映像監視システムにおける監視装置の制御部をもって監視カメラ映像記録装置の健常性を確認する方法であって、
前記監視装置の制御部は、
時刻配信装置（タイムサーバ）から基準となる日時情報を取得し、前記監視装置自身の現在日時を補正するステップと、
前記監視カメラ映像記録装置に接続確認コマンドをもって接続し、前記監視カメラの情報及び前記監視カメラごとの録画設定を取得するステップと、
前記監視カメラ映像記録装置の現在時刻を取得するステップと、
前記監視カメラごとに最新録画日時を取得するステップと、
前記監視カメラ映像記録装置の現在時刻と前記最新録画日時差が許容範囲にあるか否かを判定するステップと、
前記日時差が許容範囲にある場合に、監視カメラ映像記録装置による録画が正常状態にあると判断し、前記監視カメラごとに最新録画データサイズを取得するステップと、
単位時間の前記録画データサイズが許容範囲にあるか否かを判定するステップと、
前記録画データサイズが許容範囲にある場合、前記監視カメラによる撮影データが正常にあると判断し、次の確認日時を設定するステップ、前記日時差が許容範囲にない場合、前記監視カメラ映像記録装置の録画が異常状態と判断し、また前記画像データサイズが許容範囲内にない場合、前記監視カメラによる撮影データが異常と判断し、監視者側に通報するステップを有することを特徴とする。
【発明の効果】
【００１２】
本発明によれば、監視カメラ映像記憶装置の機能異常を早期発見することが可能である。
【００１３】
例えば、録画状態を確認することができ、録画漏れや異常録画などを防止することができる。
上述した以外の課題、構成及び効果は、以下の実施形態の説明により明らかにされる。
【図面の簡単な説明】
【００１４】
【図１】本発明の監視カメラ映像記録装置を稼動監視システムに適用した場合における健常性確認方式の概略構成を示す図である。
【図２】本発明の監視装置のＤＶＲ健常性確認機能構成を示すブロック図である。
【図３】ＤＶＲ録画設定テーブルの一例を示す図である。
【図４】許容値設定テーブルの一例を示す図である。
【図５】ＤＶＲ健常性確認装置の処理を説明する処理フローチャートである。
【図６】従来の監視カメラ映像記録装置を稼動監視システムに適用した場合におけるＤＶＲ健常性確認方式を説明するための構成イメージ図である。
【発明を実施するための形態】
【００１５】
以下、実施例について図面を用いて説明する。本実施例は、複数の監視カメラ、複数の監視カメラ映像記録装置、監視装置を有し、当該監視カメラ映像記録装置として、ＤＶＲを使用した場合のＤＶＤ稼動状態を監視する映像監視システムに適用したものである。
【実施例】
【００１６】
図１は、本実施例の監視カメラ映像記録装置（ＤＶＲ）の稼動状態を監視する映像監視システムの構成図である。
【００１７】
映像監視システム１００は、複数の監視カメラ群１１０、１２０、複数のカメラ映像記録装置１３０、１４０、監視装置１５０、警告表示灯１６０、を有する。
【００１８】
複数のカメラ映像記録装置１３０、１４０は、例えばＤＶＲからなる。各ＤＶＲは、それぞれ複数の監視カメラ１１０、１２０により撮影した映像を記録する。
【００１９】
監視装置１５０は、ネットワーク１７０を介してカメラ映像記録装置１３０、１４０に接続し、当該記録装置の記録状態を監視する機能を有する。この監視機能については、周知なので、詳細説明は省略する。
また、監視装置１５０は、カメラ映像記憶装置（ＤＶＲ）１３０、１４０から、その内部情報、つまり録画日付・時刻情報、録画情報、データサイズ等を取得し、当該情報等をもって監視カメラ映像記録装置１３０、１４０の健常性確認機能を有する。
【００２０】
係る健常性確認機能を有する監視装置１５０によれば、例えば、ＤＶＲ内部の日付・時刻情報、録画情報を取得することにより、Ｐｉｎｇによらなくともネットワーク接続の正常、異常の確認が可能である。また、ＤＶＲ内部の日付・時刻情報を取得することにより、現在時刻とのずれの確認が可能であり、録画情報を取得することにより、情報取得時点で録画が継続中であるか否かの確認が可能である。また、録画データサイズの情報を取得する（一般的にカメラが故障または接続不良の場合、真っ暗な画像となって、録画データサイズが極端に小さくなったり、映像に対してノイズの割合が増えることで、録画データサイズが極端に大きくなったりする。）ことにより、カメラが故障またはカメラとの接続不良が発生しているか否かも確認可能である。
【００２１】
図２は、監視装置１５０における監視カメラ映像記録装置の健常性確認する機能を実現する装置（以下、健常性モジュールと言う）の機能構成を示すブロック図である。
【００２２】
同図において、監視装置１５０は、ＰＣ、サーバなどのハードウェア及び監視用ソフトウェアからなり、監視カメラ１１０、１２０の撮影した映像を元に監視対象物を監視する機能の他に、監視カメラ映像記録装置（ＤＶＲ）１３０、１４０の健常性を確認する機能、すなわち健常性確認モジュール１５１を有する。
【００２３】
この健常性を確認する健常性確認モジュール１５１は、監視カメラ映像記録装置（ＤＶＲ）の（１）現在日時、（２）カメラチャネルごとの録画設定（録画スケジュールや動き検知などのイベント録画の有無など）、（３）最新録画データの日付と時刻、（４）最新録画データの単位当たりのデータサイズに基づき以下のような機能を実行する手段を有する。
【００２４】
すなわち、健常性確認モジュール１５１は、監視カメラ映像記録装置（ＤＶＲ）１３０、１４０の現在日時とカメラチャネル情報を取得する手段、カメラチャネルごとの録画設定（録画スケジュールや動き検知などのイベント録画の有無など）を取得する手段、ＤＶＲの最新録画データの日時を取得する手段、カメラチャネルごとに最新録画データの単位時間当たりのデータサイズを取得する手段、前記（１）の現在日時と監視装置の現在日時を比較することで、監視カメラ映像記録装置（ＤＶＲ）１３０、１４０の時刻ずれの判定を行う手段、前記（２）のカメラチャネルごとの録画設定と前記（３）の最新録画データの日時とにより、現在日時と最新録画日時の差異が許容範囲であるかの判定（録画が停止していないかの判定）を行う手段、前記（２）のカメラチャネルごとの録画設定と前記（４）の最新録画データの単位当たりのデータサイズとにより、前記録画データサイズが標準値と比べて大きすぎないか、または小さすぎないかを判定（ピントのずれやカメラの故障、妨害行為による異常な録画判定））を行う手段、を有する。
【００２５】
これらの手段を有する健常性確認モジュール１５１は、例えば、サーバにて構成する。サーバは、入出力装置１５１１、日時管理装置１５１２、演算装置１５１３、記憶装置１５１４、などを有する
【００２６】
入出力装置１５１１は、通信部１５１１１、通報部１５１１２、日時情報取得部１５１１３、を有する。
【００２７】
通信部１５１１１は、ネットワーク１７０を介してＤＶＲ１３０、１４０との間で通信し、上述したＤＶＲ内部情報を受信する。
【００２８】
日時情報取得部１５１１３は、ネットワーク１７０を介して監視カメラ映像記録装置（ＤＶＲ）１３０、１４０の現在日時を取得する。
【００２９】
通報部１５１１２は、警告表示灯１６０に稼動状態を通報する。例えば、後述する解析結果が、後述する許容値を超えていた場合、警告表示灯１６０に通報する。このとき、異常が何であるかを示す異常種別を付加して通報し、例えば、録画異常の場合は赤色灯を点灯させ、ブザーを鳴動させる。
【００３０】
日時管理装置１５１２は、タスクスケジューラ１５１２１、現在日時保持部１５１２２、現在日時補正部１５１２３、を有する。
【００３１】
タスクスケジューラ１５１２１は、監視装置１５０の演算装置１５１４を起動し、健常性確認のための処理を実行指示する。
【００３２】
現在日時補正部１５１２２は、日時情報取得部１５１１３にて取得した時刻配信装置１８０からの基準となる日時情報により監視装置１５０の現在日時を補正し、正確な日時情報を現在日時保持部１５１２３に保持する。
【００３３】
タスクスケジューラ１５１２１は、現在日時保持部１５１２２の日時情報を参照し、指定日時になると、演算装置１５１３に対して、ＤＶＲの健常性確認処理の実行指示を行う。
【００３４】
演算装置１５１３は、ＤＶＲ情報取得部１５１３１、ＤＶＲ情報解析部１５１３２、解析結果書込み部１５１３３、制御部１５１３４、を有する。
【００３５】
ＤＶＲ情報取得部１５１３１は、通信部１５１１１にて受信したＤＶＲ情報を取得し、取得情報をテーブル化し、ＤＶＲ録画設定テーブルＴ１とする（図３参照）。ＤＶＲ録画設定テーブルＴ１については後述する。
【００３６】
すなわち、ＤＶＲから現在の録画設定を示す情報を取得し、（１）カメラごとに実装されているかを「接続有無」に、（２）タイマー録画されているかを「タイマー録画およびタイマー録画時間帯」に、（３）アラーム録画されていれば「アラーム録画」に、録画品質、フレームレート、画像サイズを元に、（４）「標準データサイズ」を算出し、ＤＶＲ録画設定テーブルＴ１に書き込み記憶する。
なお、同じカメラチャネルにタイマー録画とアラーム録画をした場合は、両方とも設定可能である。
【００３７】
ＤＶＲ情報解析部１５１３２は、上述したＤＶＲ情報を受け、監視カメラ映像記録装置（ＤＶＲ）１３０、１４０の健常性を解析する。
【００３８】
解析結果書込み部１５１３３は、ＤＶＲ解析部１５１３２にて解析した結果を記憶装置１５１４の解析結果記録部１５１４２に書き込み記憶する。
【００３９】
制御部１５１３４は、各部を制御する。その制御処理については後述する。
【００４０】
記憶装置（記憶手段）１５１４は、上述した各取得情報を記憶するＤＢやメモリなどからなり、取得情報記録部１５１４１、解析結果記録部１５１４２、許容値保持部１５１４３、を有する。
【００４１】
取得情報記録部１５１４１は、通信部１５１１１にて受信し、ＤＶＲ情報取得部１５１３１にて取得したＤＶＲ取得情報をＤＶＲ録画設定テーブルＴ１に記憶する。
【００４２】
許容値保持部１５１４３は、ＤＶＲ解析部１５１３２にて解析するに際して、健常性確認のための判断項目の許容値（設定値）を含む許容値設定テーブルＴ２（図４参照）を記憶する。許容値設定テーブルＴ２については後述する。
【００４３】
警告表示灯１６０は、監視装置１５０に接続し、当該監視装置からの通報を受けたとき、例えば、異常が発生した旨を通報する表示灯を点灯させたり、ブザーを鳴動させたりする。
【００４４】
図３は、取得情報記憶部１５１４１のＤＶＲ録画設定テーブルＴ１の一例を示す図である。
【００４５】
同図において、ＤＶＲ録画設定テーブルＴ１は、「カメラチャネル」３１１、「カメラ名称」３１２、「接続有無」３１３、「タイマー録画」３１４、「タイマー録画時間帯」３１５、「アラーム録画」３１６、「最新録画日時」３１７、「標準データサイズ」３１８などの各情報欄を有する。
【００４６】
「接続有無」３１３、「タイマー録画」３１４、「アラーム録画」３１６は、その取得結果を、例えば「○」「×」で表記する。その一例を挙げれば、「カメラチャネル；１，カメラ名称；エントランス，接続有無；○，タイマー録画；○，タイマー録画時間帯；9：00〜16：00，アラーム録画；×，最新録画日時；12/11/09、13：35：49，標準データサイズ；20ｋＢ」である。
【００４７】
図４は、許容値保持部１５１４３の許容値設定テーブルの一例を示す図である。同図において、許容値設定テーブルＴ２は、「項番」４１１、「項目」４１２、「設定値」４１３の各情報欄を有する。
【００４８】
例えば、「項番１」は「項目」が「ＤＶＲ接続リトライ回数」であり、「設定値」が「３回」である。「項番２」は「項目」が「ＤＶＲ接続リトライ間隔」であり、「設定値」が「３０秒」である。「項番３」は「項目」が「健常性確認間隔」であり、「設定値」が「６時間」である。「項番４」は「項目」が「ＤＶＲ時刻（ＤＶＲ内部の時刻情報）」であり、「設定値」が「監視装置時刻との時間差±６０秒」である。「項番５」は「項目」が「タイマー録画」であり、「設定値」が「最新録画日時との時間差±６０秒」である。「項番６」は「項目」が「アラーム（モーション、外部接点）録画）」であり、「設定値」が「最新録画日時との日差±７日」である。「項番７」は、「項目」が「録画データサイズ」であり、「設定値」が「標準データサイズ±５ｋＢ」である。
【００４９】
図５は、ＤＶＲ健常性確認モジュールの処理を説明するフローチャートである。
同図において、ステップＳ６００にて、監視装置１５０による監視カメラ映像記録装置（ＤＶＲ）１３０、１４０の録画状態の監視を開始する場合、まずステップＳ６０１にて、監視装置１５０の現在日時を参照し、ステップＳ６０２にて、処理を実行すべき指定日時になったかを判定し、指定日時でなかった場合（Ｎｏ）は、ステップＳ６０３にて、1秒間ウェイトし、再びステップＳ６０１へ進む。
【００５０】
ステップＳ６０２にて、処理を実行すべき指定日時になったかを判定し、指定日時になった場合（Ｙｅｓ）は、ステップＳ６０４にて、ネットワーク１７０を介して時刻配信装置（タイムサーバ）から基準となる日時情報を取得し、ステップＳ６０５にて、監視装置１５０の現在日時を補正する。
【００５１】
次に、ステップＳ６０６にて、ネットワーク１７０を介して監視カメラ映像記録装置（ＤＶＲ）１３０、１４０に接続を行う。このとき、ネットワーク１７０や監視カメラ映像記録装置（ＤＶＲ）１３０、１４０がビジー上体であったり、障害が発生していたりしていて、接続に失敗した場合（Ｎｏ）は、ステップＳ６０８にて、許容値設定テーブルＴ１の項番１「ＤＶＲ接続リトライ間隔」で指定されたリトライ間隔だけウェイトし、ステップＳ６０９にて、リトライ回数に１を加える。
【００５２】
ステップＳ６１０にて、リトライ回数が許容値設定テーブルＴ１の項番２「ＤＶＲ接続リトライ回数」で指定されたリトライ回数を超過した場合、ステップＳ６１１にて、接続エラーとして記録したのち、後述するステップＳ６２７にて通報処理を行い、ステップＳ６２８を経由して、同じく後述するステップＳ６２５へ進む。
【００５３】
ステップＳ６０７にて、監視カメラ映像記録装置（ＤＶＲ）１３０、１４０との接続が成功した場合（Ｙｅｓ）、ステップＳ６１２にて、監視カメラ映像記録装置（ＤＶＲ）１３０、１４０より、現在のカメラｃｈ接続情報を取得する。このカメラｃｈ接続情報は、監視カメラ映像記録装置（ＤＶＲ）１３０、１４０に接続可能なｎ個のｃｈのうち、いずれのｃｈに監視カメラが接続されているかを示す情報で、最大数はｎ個である。
【００５４】
ステップＳ６１２で取得したカメラｃｈ接続情報を基に、ステップＳ６１３にて、カメラｃｈごとの録画設定を取得し、ＤＶＲ録画設定テーブルＴ１に書き込む。
【００５５】
続いて、ステップＳ６１４にて、監視カメラ映像記録装置（ＤＶＲ）１３０、１４０の現在日時を取得し、ステップＳ６１５にて、監視装置１５０の現在時刻との差が許容範囲内かを判定する。
【００５６】
ステップＳ６１４の判定結果、許容範囲内でない場合（Ｎｏ）は、ステップＳ６１６にて、時刻ずれ発生として記憶装置１５１４に記録し、ステップＳ６２７にて、その旨の通報を行なう。
【００５７】
許容範囲内である場合（Ｙｅｓ）には、録画設定テーブルＴ１に従い、ステップＳ６１７にて、カメラｃｈごとに最新録画日時を取得し、ステップＳ６１８にて、カメラチャネルごとの最新録画日時と現在時刻との差が許容範囲かを判定する。
【００５８】
ステップＳ６１８の判定結果、許容範囲でない場合（Ｎｏ）は、ステップＳ６１９にて、ＤＶＲの録画異常として記憶装置１５１４に記録し、ステップＳ６２７にて、その旨の通報を行なう。
【００５９】
許容範囲である場合（Ｙｅｓ）は、ステップＳ６２０にて、録画正常として、記憶装置１５１４に記録する。
【００６０】
次に、ステップＳ６２１にて、録画設定テーブルＴ１に従い、カメラチャネルごとに最新録画データサイズを取得し、ステップＳ６２２にて、カメラチャネルごとの単位時間のデータサイズが許容範囲かを判定する。
【００６１】
ステップＳ６２２の判定結果、許容範囲でない場合（Ｎｏ）は、ステップＳ６２３にて、撮影データ異常またはカメラ異常として、記憶装置１５１４に記録し、ステップＳ６２７にて、その旨の通報を行なう。
【００６２】
許容範囲である場合（Ｙｅｓ）は、ステップＳ６２４にて、撮影データ正常およびカメラ正常として、記憶装置１５１４に記録する。
【００６３】
しかるのち、ステップＳ６２５にて、次回の確認日時をセットし、ステップＳ６２６を経由してステップＳ６００に戻る。
【００６４】
上述した実施例によれば、多数のＤＶＲ等を接続したシステムにおける映像監視システムにおいて有効である。
ファームウェアにて動作し、内部情報を保持するとともに、この情報を送信できる全ての装置／機器の内部機能が正常に動作しているか否かの稼動監視確認が可能である。
【００６５】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、各実施例の構成の一部について、他の構成の追加・削除・置換をすることが可能である。
また、上記の各構成、機能、手段等は、それらの一部又は全部を、例えば集積回路で設計する等によりハードウェアで実現してもよい。また、上記の各構成、機能等は、プロセッサ（制御部）がそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒａｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６６】
１００  映像監視システム
１１０、１２０  複数の監視カメラ群
１３０、１４０  複数のカメラ映像記憶装置(ＤＶＲ)
１５０  監視装置
１５１  監視カメラ映像記録装置の健常性確認装置（健常性確認モジュール）
１６０  警告表示灯
１７０  ネットワーク
１８０  時刻配信装置（タイムサーバ）
【図１】
2014150318.tif 000003
【図２】
2014150318.tif 000004
【図３】
2014150318.tif 000005
【図４】
2014150318.tif 000006
【図５】
2014150318.tif 000007
【図６】
2014150318.tif 000008